(57)【特許請求の範囲】
【請求項１】
構造体の接合端面に設けられて構造体どうしを相互に接合する継手金具の型枠に対する取付構造であって、
外面が先細りのテーパ状とされた筒状ホルダを固定ナットが埋設された先端に嵌合した継手金具が、型枠に取り付けられた外筒体の先細りのテーパ孔に、筒状ホルダの外面をテーパ孔の内面に密接させて筒状ホルダとともに挿入され、外筒体先端の透孔に挿通されて上記固定ナットに螺着された取付ボルトによって筒状ホルダと外筒体とを介して型枠に着脱自在に取り付けられたことを特徴とする継手金具の型枠への取付構造。
【請求項２】
外筒体の根本部に補強リングが嵌合され、型枠と外筒体とに溶接されたことを特徴とする請求項１記載の継手金具の型枠への取付構造。
【請求項３】
継手金具は円筒状とされ、内部に充填材が充填されたことを特徴とする請求項１又は２記載の継手金具の型枠への取付構造。
【発明の詳細な説明】
【０００１】
【発明の属する技術分野】
本発明は、セグメント等のコンクリート製品からなる構造体同士を接合させる継手金具（接合金具）を、構造体を成形する型枠に取り付ける継手金具の型枠への取付構造に関するものである。
【０００２】
【従来の技術】
近年、トンネルの覆工体を構成するセグメントの接合構造としては、ボルト・ナットに代わって、セグメント同士を突き合わせることにより、互いに接合されるものが用いられつつある。
この種の接合構造を図３に示すものを例にとって説明する。
図において、符号１は、雄型継手金具、符号２は、雌型継手金具である。雄型継手金具１は、円筒状に形成されたもので、セグメントＳの接合端面Ｓａから突出されている。雌型継手金具２は、雄型継手金具１よりも僅かに小径の円筒状に形成されたもので、セグメントＳに埋設されている。
【０００３】
そして、これら雄型継手金具１及び雌型継手金具２を有するセグメントＳ同士を接合させるには、雌型継手金具２に雄型継手金具１を嵌合させながら、セグメントＳの接合端面Ｓａ同士を突き合わせる。
このようにすると、雌型継手金具２への雄型継手金具１の嵌合力によってセグメントＳ同士が接合される。
なお、符号４は、雄型継手金具１の雌型継手金具２への挿入時に、雌型継手金具２の膨張を吸収する樹脂フォームである。
【０００４】
【発明が解決しようとする課題】
ところで、セグメントＳ，Ｓ同士は、雄型継手金具１及び雌型継手金具２が高精度に位置決めされていないと良好に接合されない。このため、セグメントＳを成形する際に、セグメントＳの成形用の型枠に、これら雄型継手金具１及び雌型継手金具２を精度良くかつ容易に取り付けることが可能な型枠への取付構造が要求されていた。
【０００５】
この発明は、上記事情に鑑みてなされたもので、互いに嵌合することにより構造体同士を接合させる継手金具を高精度にてかつ容易に型枠へ取り付けることが可能な継手金具の型枠への取付構造を提供することを目的としている。
【０００６】
【課題を解決するための手段】
上記目的を達成するために、請求項１記載の発明は、構造体の接合端面に設けられて構造体どうしを相互に接合する継手金具の型枠に対する取付構造において、外面が先細りのテーパ状とされた筒状ホルダを固定ナットが埋設された先端に嵌合した継手金具を、型枠に取り付けられた外筒体の先細りのテーパ孔に、筒状ホルダの外面をテーパ孔の内面に密接させて筒状ホルダとともに挿入し、外筒体先端の透孔に挿通して上記固定ナットに螺着した取付ボルトによって筒状ホルダと外筒体とを介して型枠に着脱自在に取り付けた構成とした。
【０００７】
この手段では、継手金具の先端に筒状ホルダを嵌合させて継手金具を筒状ホルダと一緒に外筒体のテーパ孔に挿入すると、テーパ孔の内面が筒状ホルダの外面を案内して筒状ホルダと継手金具を外筒体の中央に導く。
この結果、テーパ孔の内面に対する筒状ホルダの外面の密接状態において、継手金具はその中心軸線を外筒体の中心軸線に正しく一致させ、また型枠から所定の長さ突出した状態となる。この状態で取付ボルトを固定ナットに螺着して継手金具を型枠に取り付ける。
【０００８】
請求項１記載の継手金具の型枠への取付構造において、外筒体の根本部に補強リングを嵌合させ、型枠と外筒体とに溶接した構成とすることが好ましい（請求項２）。
この構成では、型枠に対する外筒体の固定強度が補強リングによって高められる。このため、外筒体は取付姿勢を長年月にわたって正しく保つ。
【０００９】
請求項１又は２記載の継手金具の型枠への取付構造において、継手金具を円筒状とし、内部に充填材を充填した構成とすることができる（請求項３）。
この構成では、継手金具をむく軸とした場合よりもコストの低減が可能となる。
【００１０】
【発明の実施の形態】
発明の実施の形態を添付図面を参照して説明する。
図１は本発明に係る継手金具の型枠への取付構造の実施の形態を示す。この取付構造には、外筒体６と、筒状ホルダ７と、補強リング８と、固定ナット９、及び取付ボルト１０が用いられている。
【００１１】
外筒体６は有底円筒状で、先端の底部６ａに近づくにしたがって小径となる先細りのテーパ孔６ｂを有し、底部６ａの中心には円形の透孔６ｃが形成されている。この外筒体６は、開口端６ｄを型枠１２の取付孔１２ａに嵌め込んで型枠１２に溶接等の手段で枠面に対して垂直に取り付けられる。
【００１２】
筒状ホルダ７も有底円筒状で、その外面７ｂは先端の底部７ａに近づくにしたがって小径となる先細りのテーパ状に形成され、底部７ａの中心に円形の透孔７ｃを有する。この筒状ホルダ７は、装着孔７ｅに継手金具１の先端を嵌め入れた状態で外筒体６のテーパ孔６ｂに嵌め込んで使用されるものであり、装着孔７ｅの内径は、継手金具１がガタ付きなく装着孔７ｅに嵌挿されるように継手金具１の外径にほぼ一致され、また外筒体６のテーパ孔６ｂにガタ付きなく所定の状態で正しく収まるように外面７ｂの形状が定められている。
【００１３】
補強リング８は、外筒体６の根本部に嵌合されて型枠１２と外筒体６とに溶接して用いられる。この補強リング８によって型枠１２に対する外筒体６の固定強度、及び外筒体６と型枠１２の変形強度が強化され、外筒体６は長年月にわたって所定の状態を保つようになる。型枠１２はセグメント等のコンクリート構造体の成形に使用される周知のものである。
【００１４】
固定ナット９は該固定ナット９に螺着される取付ボルト１０と協働して外筒体６に継手金具１を着脱自在に取り付けるもので、袋ナット構造とされ、継手金具先端の口部に埋め込まれて固定されている。継手金具１は円筒状に形成され、内部にモルタル等の充填材１４を予め詰めて固化されている。
【００１５】
符号１６は保護カバーであり、外筒体６を囲んで型枠１２の外側の面に取り付けられ、外筒体６を保護している。
【００１６】
次に、型枠１２に対する継手金具１の取付け方法の一例を説明する。
まず、継手金具１の先端を筒状ホルダ７の装着孔７ｅに嵌め込む（図２参照）。この装着操作は、腰を屈めたり膝を折ったりすることなく自然な姿勢で継手金具１と筒状ホルダ７を両手に持って容易にかつ迅速に行うことができる。
【００１７】
次に、継手金具１を筒状ホルダ７と一緒に外筒体６のテーパ孔６ｂに挿入する。この挿入作業は、往々にして、腰を屈めるなどの不自然な姿勢で行われるが、テーパ孔６ｂは大きく開口し、逆に筒状ホルダ７の先端は小さく窄まっているため、これも容易かつ迅速に行うことができる。
【００１８】
筒状ホルダ７を外筒体６のテーパ孔６ｂに挿し込むと、筒状ホルダ７はテーパ孔６ｂの内面６ｂｎに沿って移動し、テーパ孔６ｂの内面６ｂｎに外面７ｂを密接させるとともに自体及び継手金具１の中心軸線を外筒体６の中心軸線に一致させて外筒体６の中央に正しく位置決めされる。この位置決め状態では、型枠１２から外側に突き出した継手金具１の突出長さも一定となる。
【００１９】
上記の位置決め状態において、取付ボルト１０を外筒体６と筒状ホルダ７の透孔６ｃ，７ｃに挿入して固定ナット９に螺着し、継手金具１を型枠１２に取り付けて位置決め状態を保持させる（図１参照。）
【００２０】
その後、型枠１２内（図１で型枠１２の右側）に生コンクリートを流し込んで固化させ、セグメント等のコンクリート構造体Ｓを周知のようにして成形する。継手金具１はコンクリートの固化により、構造体Ｓの所定位置に所定の突出量で垂直に一体に固定される。脱型に際しては、取付ボルト１０を固定ナット９か外し、継手金具１を外筒体６及び筒状ホルダ７から相対的に引き抜くことは言うまでもない。
【００２１】
外筒体６と、筒状ホルダ６、補強リング８、保護カバー１６等は型枠１２と同様に、一般には鋼等の金属材料で製造される。筒状ホルダ６は鉄のほかにポリウレタンやポマライト等の材料で製造することもある。
図の継手金具１は中空構造の雄型継手金具となっているが、むく軸の雄型継手金具や他の継手金具の場合もある。
【００２２】
なお、外筒体６のテーパ孔６ｂに筒状ホルダ７を先に挿入し、後から筒状ホルダ７に継手金具１を挿入することもできないことではない。しかし、この組付方式では、筒状ホルダ７に対する継手金具１の挿入に前述の不自然な姿勢を強いられることになり、作業能率が大きく低下する。
【００２３】
【発明の効果】
以上説明したように、請求項１記載の発明によれば、継手金具を型枠の所定位置に所定の突出長で精度良くかつ容易に取り付けることができる。このため構造体の良好な接合が可能となる。
【００２４】
請求項１記載の継手金具の型枠への取付構造において、外筒体の根本部に補強リングを嵌合し、型枠と外筒体とに溶接した構成とすると、補強リングによって、外筒体の固定強度、及び外筒体と型枠の変形強度が高くなる。したがって、外筒体による位置決め精度が長年月にわたって保たれるようになる。
【００２５】
請求項１又は２記載の継手金具の型枠への取付構造において、継手金具を円筒状とし、内部に充填材を充填した構成とした場合は、継手金具の製造コストの低減が可能となる。
【図面の簡単な説明】
【図１】  本発明に係る継手金具の型枠への取付構造の実施の形態を示す断面図である。
【図２】  取付け方法を説明するための図である。
【図３】  セグメント等の構造体の雄型継手金具と雌型継手金具による接合方式を説明するための図である。
【符号の説明】
Ｓ  セグメント（構造体）      １  雄型継手金具
１ａ  口部                    ６  外筒体
６ａ  底部                    ６ｂ  テーパ孔
６ｂｎ  内面                  ６ｃ  透孔
７  筒状ホルダ                ７ａ  底部
７ｂ  外面                    ７ｃ  透孔
７ｅ  装置孔                  ８  補強リング
９  固定ナット                １０  取付ボルト
１２  型枠                    １４  充填材
【図１】
0004326719.tif 000002
【図２】
0004326719.tif 000003
【図３】
0004326719.tif 000004